(57)【要約】【課題】オペレータの夜景モード誤設定を避け、常に被写体の高品質の撮像が可能な撮像装置を提供する。【解決手段】夜景撮像モードの撮像時に時計機能部２６の計時データから、現時刻が夜間でないと判定されると、ブザー２４の警報音又は液晶ディスプレイ１８の警報メッセージの表示により、オペレータに不適確な夜景モードの設定が警報され、オペレータの夜景モードの設定の解除により、常に被写体の高品質の夜間撮像が可能になる。さらに不適確な夜景モードの自動解除モードを設定することにより、不適確な夜景モードの設定が自動的に解除され、解除の通報がブザー２４の警報音又は液晶ディスプレイ１８の通報メッセージの表示により通報され、オペレータは、操作上の負担なしに夜景モードの誤設定を避けて、常に被写体の高品質の夜間撮像を行なうことが可能になる。【選択図】　　　　図１
2004053697.tif 000002
【特許請求の範囲】
【請求項１】
時計手段と夜景モード設定手段とを備え、撮像時の夜景モード設定の適確性の通報を行なう撮像装置であり、
前記夜景モード設定手段による夜景撮像モードの設定時に、前記時計手段のデータを取込んで、現時間が夜間であるか否かを判定する判定手段と、
該判定手段により現時間が夜間でないと判定されると、警報を発する警報手段と
を有することを特徴とする撮像装置。
【請求項２】
請求項１記載の撮像装置において、警報手段が警報音を発生することにより警報を行なうことを特徴とする撮像装置。
【請求項３】
請求項１記載の撮像装置において、警報手段が警報メッセージを表示することにより警報を行なうことを特徴とする撮像装置。
【請求項４】
時計手段と夜景モード設定手段とを備え、撮像時の夜景モード設定の適確性に基づいて、夜景モードの撮像を行なう撮像装置であり、
前記夜景モード設定手段による夜景撮像モードの設定時に、前記時計手段のデータを取込んで、現時間が夜間であるか否かを判定する判定手段と、
該判定手段により現時間が夜間でないと判定されると、夜景モード設定手段による夜景撮像モードの設定を解除する設定解除手段と
を有することを特徴とする撮像制御装置。
【請求項５】
請求項４記載の撮像装置に対して、設定解除手段の動作を許容する許容設定手段がさらに設けられていることを特徴とする撮像制御装置。
【請求項６】
請求項４記載の撮像装置に対して、設定解除手段による夜景撮像モードの設定の解除を通報する通報手段がさらに設けられていることを特徴とする撮像制御装置。
【請求項７】
請求項６記載の撮像制御装置において、通報手段が通報音を発生することにより通報を行なうことを特徴とする撮像制御装置。
【請求項８】
請求項６記載の撮像制御装置に対して、通報手段が通報メッセージを表示することにより通報を行なうことを特徴とする撮像制御装置。
【発明の詳細な説明】
【０００１】
【発明の属する技術分野】
本発明は、時計手段と夜景モード設定手段とを備えたディジタルカメラなどの撮像装置に関する。
【０００２】
【従来の技術】
ディジタルカメラなどの撮像装置には、近年、オペレータの使用上の便宜を考慮して、各種の撮像モードの設定機能が設けられており、その一つに、夜間の被写体の撮像時にコントラストを高め、黒設定閾値を上げ、露出を全体が暗めの画像となるように制御して、夜間での被写体の撮像を視覚効果を高めて行なわせる夜景モードの設定機能がある。
このような夜景モードの設定機能を備えたディジタルカメラを使用すると、夜景撮像の知識や経験の少ないオペレータでも、夜景を綺麗に撮像することが可能になる。
【０００３】
【発明が解決しようとする課題】
前述のように、夜景モードの設定機能を備えたディジタルカメラを使用すると、夜景撮像の知識や経験の少ないオペレータでも、夜景を綺麗に撮像することができるが、従来のディジタルカメラでは、夜景モードを設定すると、ディスプレイに夜景モード設定のメッセージが表示されるだけなので、撮像後に夜景モードの設定のリセットを忘れ、夜間でないのに次回の撮像を夜景モードで行なうなどの誤設定が生じることがあった。
【０００４】
本発明は、前述したような夜景モードの設定機能を備えたディジタルカメラの撮像時の誤操作の現状に鑑みてなされたものであり、その目的は、オペレータの負担を低減して、夜景モード設定時の誤操作なしに、常に被写体の高品質の夜間撮像が可能な撮像装置を提供することにある。
【０００５】
【課題を解決するための手段】
前記目的を達成するために、請求項１記載の発明は、時計手段と夜景モード設定手段とを備え、撮像時の夜景モード設定の適確性の通報を行なう撮像装置であり、前記夜景モード設定手段による夜景撮像モードの設定時に、前記時計手段のデータを取込んで、現時間が夜間であるか否かを判定する判定手段と、該判定手段により現時間が夜間でないと判定されると、警報を発する警報手段とを有することを特徴とするものである。
【０００６】
このような手段によると、夜景モード設定手段により夜景撮像モードが設定されて、被写体の撮像が行なわれる場合には、判定手段によって、時計手段から取込まれるデータに基づいて、現時間が夜間であるか否かが判定され、判定手段によって、現時間が夜間でないと判定されると、警報手段によって夜景モードの設定が不適確であることをオペレータに通報する警報が発せられ、不適確な夜景モードの設定を知ったオペレータが、夜景モードの設定を解除して、被写体の撮像を改めて実行することにより、常に夜景モードの誤設定を避けて、被写体の高品質の夜間撮像が行なわれる。
【０００７】
同様に前記目的を達成するために、請求項２記載の発明は、請求項１記載の発明において、警報手段が警報音を発生することにより警報を行なうことを特徴とするものである。
【０００８】
このような手段によると、請求項１記載の発明において、警報手段が警報音を発生することによって、夜景モードの設定が不適確であることをオペレータに通報することにより、請求項１記載の発明での作用が実行される。
【０００９】
同様に前記目的を達成するために、請求項３記載の発明は、請求項１記載の発明において、警報手段が警報メッセージを表示することにより警報を行なうことを特徴とするものである。
【００１０】
このような手段によると、請求項１記載の発明において、警報手段が警報メッセージを表示することによって、夜景モードの設定が不適確であることをオペレータに通報することにより、請求項１記載の発明での作用が実行される。
【００１１】
同様に前記目的を達成するために、請求項４記載の発明は、時計手段と夜景モード設定手段とを備え、撮像時の夜景モード設定の適確性に基づいて、夜景撮像モードの撮像を行なう撮像装置であり、前記夜景モード設定手段による夜景撮像モードの設定時に、前記時計手段のデータを取込んで、現時間が夜間であるか否かを判定する判定手段と、該判定手段により現時間が夜間でないと判定されると、夜景モード設定手段による夜景撮像モードの設定を解除する設定解除手段とを有することを特徴とするものである。
【００１２】
このような手段によると、夜景モード設定手段により夜景撮像モードが設定されて、被写体の撮像が行なわれる場合には、判定手段によって、時計手段から取込まれるデータに基づいて、現時間が夜間であるか否かが判定され、判定手段によって、現時間が夜間でないと判定されると、設定解除手段によって夜景モードの設定が自動的に解除され、不適確な夜景モードの設定が行なわれた場合に、オペレータは、夜景モードの設定を解除して、被写体の撮像を改めて実行することが不要で、オペレータの操作負担なしに、常に夜景モードの誤設定を避けて、被写体の高品質の夜間撮像が行なわれる。
【００１３】
同様に前記目的を達成するために、請求項５記載の発明は、請求項４記載の発明に対して、設定解除手段の動作を許容する許容設定手段がさらに設けられていることを特徴とするものである。
【００１４】
このような手段によると、請求項４記載の発明に対して、設定解除手段の動作を許容する許容設定手段がさらに設けられ、許容設定手段により許容設定を行なうことにより、請求項４記載の発明での作用が実行され、許容設定手段による許容設定を行なわない場合には、夜景モード設定の適確性を判定しない通常の撮像が実行される。
【００１５】
同様に前記目的を達成するために、請求項６記載の発明は、請求項４記載の発明に対して、設定解除手段による夜景撮像モードの設定の解除を通報する通報手段がさらに設けられていることを特徴とするものである。
【００１６】
このような手段によると、請求項４記載の発明に対して、設定解除手段による夜景撮像モードの設定の解除を通報する通報手段がさらに設けられ、請求項４記載の発明で得られる効果に加えて、オペレータに夜景撮像モードの設定の解除が通報される。
【００１７】
同様に前記目的を達成するために、請求項７記載の発明は、請求項６記載の発明において、通報手段が通報音を発生することにより通報を行なうことを特徴とするものである。
【００１８】
このような手段によると、請求項６記載の発明において、通報手段が通報音を発生することによって、夜景モードの設定が不適確であることをオペレータに通報することにより、請求項６記載の発明での作用が実行される。
【００１９】
同様に前記目的を達成するために、請求項８記載の発明は、請求項６記載の発明に対して、通報手段が通報メッセージを表示することにより通報を行なうことを特徴とするものである。
【００２０】
このような手段によると、請求項６記載の発明において、警報手段が警報メッセージを表示することによって、夜景モードの設定が不適確であることをオペレータに通報することにより、請求項６記載の発明での作用が実行される。
【００２１】
【発明の実施の形態】
以下に本発明のディジタルカメラに係る一実施の形態を、図１ないし図４を参照して説明する。
図１は本実施の形態の構成を示すブロック図、図２は本実施の形態の外観構成を示す説明図、図３は本実施の形態のディスプレイの時計設定画面の説明図、図４は本実施の形態のディスプレイの機能設定画面の説明図である。
【００２２】
本実施の形態では、図１に示すように、被写体光像からの光が入射され、ＡＦ（Ａｕｔｏ　Ｆｏｃｕｓ；自動焦点調節）機能、ズーム機能及び絞り機能を備えたレンズ１の後段に、フィルター部を備えたシャッタ機構部２が配設され、シャッタ機構部２の後段に、電子シャッター機能を備え、被写体光像を光電変換して出力するＣＣＤ（Ｃｈａｒｇｅ　ｃｏｕｐｌｅｄ　ｄｅｖｉｃｅ；電荷結合デバイス）５が配設され、ＣＣＤ５の出力端子に撮像信号処理ユニット１０が接続されている。
この撮像信号処理ユニット１０においては、前記ＣＣＤ５の出力端子に接続され、ＣＣＤ５の出力信号の雑音抑圧を行なうＣＤＳ（Ｃｏｒｒｅｌａｔｅｄ　ｄｏｕｂｌｅ　ｓａｍｐｌｉｎｇ　ｃｉｒｃｕｉｔ）６が設けられ、ＣＤＳ６の出力端子には、自動利得制御を行なうＡＧＣ７が接続され、ＡＧＣ７の出力端子にはＡＤ変換を行なうＡＤ変換回路８が接続され、さらに、ＣＣＤ５、ＣＤＳ６、ＡＧＣ７及びＡＤ変換回路８にそれぞれ駆動制御信号を出力する駆動制御回路１１が配設されている。
【００２３】
また、このような構成の撮像信号処理ユニット１０のＡＤ変換回路８には、撮像信号処理ユニット１０の出力信号に対して、信号処理を行なう信号処理ユニット１２が接続されており、この信号処理ユニット１２には、前記ＡＤ変換回路８の出力端子に接続され、インタフェース処理を行なうＣＣＤインタフェース１３が設けられている。
そして、信号処理ユニット１２においては、ＣＣＤインタフェース１３の出力端子は、メモリコントローラ１４に接続され、メモリコントローラ１４には、ＲＡＷ−ＲＧＢデータに対してＹＵＶ変換を行なうＹＵＶ変換回路１５、ＪＰＥＧ（Ｊｏｉｎｔ　Ｐｈｏｔｏｇｒａｐｈｉｃ　Ｅｘｐｅｒｔｓ　Ｇｒｏｕｐ）規格のデータ圧縮・伸長を行なう圧縮・伸長処理ブロック１７、及び表示信号のインタフェース動作を行なうディスプレイインタフェース１６が接続され、ＣＣＤインタフェース１３から、撮像信号処理ユニット１０の駆動制御回路１１に、垂直同期信号ＶＤと水平同期信号ＨＤとが入力されるように構成されている。
メモリコントローラ１４は、信号処理ユニット１２によるＹＵＶ変換動作時、データ圧縮・伸長動作時、圧縮データのメモリカードへの記録時、メモリカードからの圧縮データの読出時、及び被写体画像のディスプレイへの表示動作時に、後述するＳＤＲＡＭに対するデータの書込・読出と、信号処理ユニット１２でのデータの転送を制御する機能を有している。
【００２４】
このような構成の信号処理ユニット１２のディスプレイインタフェース１６には各種のデータを表示する液晶ディスプレイ１８が接続され、メモリコントローラ１４に対して、ＲＡＷ−ＲＧＢデータ３１、ＹＵＶ変換データ３２及びＪＰＥＧ圧縮データ３３を格納し、パソコンのベースクロックに同期して高速でデータの授受を行なうＳＤＲＡＭ（Ｓｙｎｃｈｒｏｎｏｕｓ　Ｄｙｎａｍｉｃ　ＲＡＭ）３０が接続されている。
同様に、信号処理ユニット１２のメモリコントローラ１４には、全体の動作を制御するＣＰＵ２２と、ＣＰＵ２２の制御動作時に各種のデータの書込・読出が行なわれるＳＲＡＭ（Ｓｔａｔｉｃ　ＲＡＭ）２１とが接続され、さらに圧縮撮像データが書込まれるメモリカード２０が着脱自在に接続されている。
【００２５】
また、ＣＰＵ２２には、制御プログラムが格納されたＲＯＭ２９、計時動作を行なう時計機能部２６、撮像画像の画質の設定を行なう画質設定部２７、及び撮像時の露出条件を制御する露出制御部２８が設けられ、ＣＰＵ２２には、オペレータにより各種の操作信号が入力される操作部２３、不適確な夜景モードの設定の警報音、或いは不適確な夜景モードの設定の解除通報音を発するブザー２４、及び撮像時に使用されるストロボ２５が接続されている。
そして、本実施の形態では、レンズ１のＡＦ駆動、ズーム駆動及び絞り駆動を行い、シャッタ機構部２のシャッタ駆動を行なうモータドライバ３が設けられ、モータドライバ３とＣＰＵ２２間、及び撮像信号処理ユニット１０とＣＰＵ２２間が互いに接続されている。
【００２６】
図２に本実施の形態の外観構成を示し、同図（ａ）は上蓋３６を開いた状態の平面図、同図（ｂ）は上蓋３６を開いた状態の正面図、同図（ｃ）は上蓋３６を開いた状態の側面図であり、カメラ本体４７の上面の一縁辺部にヒンジ３７によって開閉自在に液晶ディスプレイ１８を備えた上蓋３６が取り付けられ、上蓋３６の上面には、撮像枚数、バッテリの交換警報などが表示されるサブディスプレイ４８が配置され、カメラ本体の上面には、上蓋３６の開閉を検知する上蓋開閉検知スイッチ３５が設けられている。また、カメラ本体４７の上面には、ＤＡＴＥスイッチ４３、コマ送りスイッチ４４ａ、４４ｂ、ストロボスイッチ４１、画質モードスイッチ４０、記録モード切換スイッチ４２及びレリーズスイッチ３８が設けられている。一方、カメラ本体４７の前面には、レンズ１、ストロボ２５及びファインダ４６が設けられている。
【００２７】
このような構成の本実施の形態の撮像動作を説明する。
撮像動作に際して、オペレータが、操作部２３から本実施の形態の主題となる夜景モード設定を含む撮像時の各種の撮像制御条件の指令信号を入力すると、ＣＰＵ２２では、ＲＯＭ２９から読み出される制御プログラムに基づき、操作部２３からの指令信号に対応して、画質設定部２７により画質設定データが、露出制御部２８により露出制御データが演算され、これらのデータに基づいて、ＣＰＵ２２からモータドライバ３にはドライブ制御信号が、撮像信号処理ユニット１０には駆動制御信号がそれぞれ入力される。
そして、モータドライバ３は、ドライブ制御信号に基づいて、レンズ１の絞りを制御設定し、レンズ１を微調整移動して被写体の入射光像に対するＡＦ動作の制御を行い、操作部２３でズーム設定が行なわれる場合にはズーム動作の制御を行い、シャッタ機構部２に対しては、露出制御データに基づく露出の制御を行なう。
【００２８】
この露出動作によって、ＣＣＤ５に入力される被写体の入射光像は、ＣＰＵ２２からの駆動制御信号とＣＣＤインタフェース１３からの垂直同期信号ＶＤ及び水平同期信号ＨＤとに基づき、ＣＣＤ５に入力される制御信号によって、ＣＣＤ５に行及び列方向にマトリクス状に配列されているホトダイオードに対して、蓄積時間が制御されて蓄積されることにより、ＣＣＤ５に対しての電子シャッタ動作が行なわれる。
この電子シャッタ動作によって、被写体の入射光像は、ＣＣＤ５によってアナログ電気信号に変換されてＣＣＤ５から出力され、駆動制御回路１１からの制御信号により作動するＣＤＳ６によって、相関２重サンプリングによる低雑音化処理が施される。次いで、低雑音化処理が施されたＣＤＳ６の出力信号に対して、駆動制御回路１１からの制御信号により作動するＡＧＣ７によってレベル補正か行なわれ、レベル補正が行なわれたＡＧＣ７の出力信号は、駆動制御回路１１からの制御信号によって作動するＡＤ変換回路８に入力される。
【００２９】
そして、ＡＧＣ変換回路８の出力信号は、ＡＤ変換回路８によって、例えば、ＮＴＳＣ信号のサブキャリア周波数の整数倍のサンプリング周波数でＡＤ変換され、ＡＤ変換回路８からは、被写体の入射光像のディジタル信号が信号処理ユニット１２のＣＣＤインタフェース１３に入力され、メモリコントローラ１４によって、ＣＣＤ配列のままのＲＡＷ−ＲＧＢデータ３１としてＳＤＲＡＭ３０に格納される。
【００３０】
ところで、信号処理ユニット１２においては、ＣＰＵ２２の指令によって、メモリコントローラ１４によって、ＳＤＲＡＭ３０からＲＡＷ−ＲＧＢデータ３１が読み出され、ＹＵＶ変換回路１５によって、ガンマ補正、色分離処理に基づき色差信号と輝度信号を作成するＹＵＶ変換が実行され、ＹＵＶ変換により得られる色差信号及び輝度信号に基づいて、ＣＰＵ２２の指令によって、ディジタルＮＴＳＣ信号が取得され、このディジタルＮＴＳＣ信号が、ディスプレイインタフェース１６を介して、図示せぬＤＡ変換回路によりＤＡ変換されて得られる画像信号が液晶ディスプレイ１８に表示される。
【００３１】
一方、被写体の撮像画像データをメモリカード２０に格納する場合には、メモリコントローラ１４によって、ＳＤＲＡＭ３０から読み出されるＲＡＷ−ＲＧＢデータに対して、ＹＵＶ変換回路１５によって、ガンマ補正、色分離処理に基づき色差信号と輝度信号を作成するＹＵＶ変換が実行され、ＳＤＲＡＭ３０にＹＵＶ変換データ３２として格納される。
次いで、メモリコントローラ１４によりＳＤＲＡＭ３０から読み出されるＹＵＶ変換データ３２に対して、ＣＰＵ２２の指令により作動する圧縮・伸長処理ブロック１７によって、直交変換やハフマン符号化によりＪＰＥＧ方式での圧縮処理が施され、メモリコントローラ１４によって、ＳＤＲＡＭ３０にＪＰＦＧ圧縮データ３３として格納される。
そして、このようにして、ＳＤＲＡＭ３０に格納されたＪＰＥＧ圧縮データ３３が、ＣＰＵ２２の指令により作動するメモリコントローラ１４によって、ＳＤＲＡＭ３０から読み出されメモリカード２０に書込まれる。
【００３２】
また、メモリカード２０に記録された圧縮データが、メモリカード２０から読み出される場合には、読み出される圧縮データは、先ず、メモリコントローラ１４によって、ＳＤＲＡＭ３０にＪＰＥＧ圧縮データ３３として格納される。
そして、メモリコントローラ１４によって、ＳＤＲＡＭ３０から読み出されるＪＰＥＧ圧縮データが、ＣＰＵ２２の指令により作動する圧縮・伸長ブロック１７によつて、リアルタイムに伸長されてディジタルＮＴＳＣ信号が得られ、ディスプレイインタフェース１６を介して、図示せぬＤＡ変換回路によりＤＡ変換されて、得られる画像信号が液晶ディスプレイ１８に表示される。
【００３３】
すでに説明したようして行なわれる被写体の撮像動作に際して、本実施の形態では、オペレータの操作部２３からの指令信号の入力によって、夜景モードを設定することにより、コントラストを高め、黒設定閾値を上げ、露出を全体が暗めの画像となるように制御して、被写体の夜間撮像時の視覚的効果を高めた夜景モードでの撮像が行なわれる。そして、この夜景モードでの撮像時には、不適確な夜景モードの設定に対する警報モード、或いは解除モードの選択が行なわれる。
本実施の形態の夜景モード設定の適確性の判定動作を、図５及び図６を参照して説明する。
図５は本実施の形態の警報モード設定時の夜景モード設定の適確性の判定動作を示すフローチャート、図６は本実施の形態の解除モード設定時の夜景モード設定の適確性の判定動作を示すフローチャートである。
【００３４】
先ず、警報モード設定時の夜景モード設定の適確性の判定動作を、図５のフローチャートを参照して説明する。
この場合、オペレータは操作部２３を操作して、図４に示すような機能設定画面を液晶ディスプレイ１８に表示させ、警報音により通報を行なうか、警報メッセージにより通報を行なうかの選択を事前に選択設定する。
【００３５】
図５のフローチャートのステップＳ１において、ＣＰＵ２２によって操作部２３から夜景モードが設定されているか否かが判定され、夜景モードが設定されていないと処理を終了し、夜景モードが設定されているとステップＳ２に進んで、オペレータが操作部２３を操作し、液晶ディプレイ１８に表示される図３に示す時計設定画面により、時計機能部２６を駆動して時計設定が行なわれているか否かが判定され、時計設定がされていないと処理を終了し、時計設定が行なわれているとステップＳ３に進む。
【００３６】
本実施の形態において時計設定が行なわれ、時計機能部２６が駆動している場合には、ＣＰＵ２２は、ステップＳ３において、ＲＯＭ２９から読み出されるカレンダの月データに対応する夜間判定基準データに基づいて、時計機能部２６から読み出される現時刻が夜間であるか否かを判定し、ステップＳ４に進んで、夜間でないと判定されると処理を終了し、夜間であると判定されるとステップＳ５に進む。
【００３７】
ステップＳ５では、ＣＰＵ２２によって、操作部２３から夜景モードの設定が不適確な場合には、操作部２３の操作で、液晶ディスプレイ１８に図４に示すように表示される機能設定画面によって、ブザー２４による警報音の発生が選択されているか否かが判定され、警報音の発生が選択されている場合には、ステップＳ６に進んで、ブザー２４から発生する警報音によって、不適確な夜景モードの設定が行なわれていることがオペレータに通報される。
一方、ステップＳ５において、ブザー２４による警報音の発生が選択されていないと判定されると、ステップＳ７に進んで、液晶ディスプレイ１８に表示される警報メッセージにより、不適確な夜景モードの設定が行なわれていることがオペレータに通報される。
【００３８】
このようにして、オペレータは、ブザー２４から発せられる警報音、或いは液晶ディスプレイ１８に表示される警報メッセージによつて、不適確な夜景モードが設定されていることを知ることができるので、不適確な夜景モードの設定を知ったオペレータは、操作部２３を操作して夜景モードの設定を解除して、被写体の撮像を改めて実行することにより、夜景モードの誤設定を避けて、常に被写体の高品質の夜間撮像を行なうことが可能になる。
【００３９】
次に、本実施の形態の解除モード設定時の夜景モード設定の適確性の判定動作を、図６のフローチャートを参照して説明する。
この場合、オペレータは操作部２３を操作して、図４に示すような機能設定画面を液晶ディスプレイ１８に表示させ、夜景モードの自動解除の認可設定を行い、さらに、解除の通報を警報音により通報を行なうか、警報メッセージにより行なうかの選択を事前に選択設定する。
【００４０】
図６のフローチャートのステップＳ１１において、ＣＰＵ２２によって操作部２３から夜景モードが設定されているか否かが判定され、夜景モードが設定されていないと処理を終了し、夜景モードが設定されているとステップＳ１２に進んで、オペレータが操作部２３を操作し、液晶ディプレイ１８に表示される図３に示す時計設定画面により、時計機能部２６を駆動して時計設定が行なわれているか否かが判定され、時計設定がされていないと処理を終了し、時計設定が行なわれているとステップＳ１３に進む。
【００４１】
本実施の形態において時計設定が行なわれ、時計機能部２６が駆動している場合には、ＣＰＵ２２は、ステップＳ１３において、ＲＯＭ２９から読み出されるカレンダの月データに対応する夜間判定基準データに基づいて、時計機能部２６から読み出される現時刻が夜間であるか否かを判定し、ステップＳ１４に進んで、夜間でないと判定されると処理を終了し、夜間であると判定されるとステップＳ１５に進む。
【００４２】
ステップＳ１５では、ＣＰＵ２２によって、オペレータが操作部２３を操作し液晶ディスプレイ１８に表示される機能設定画面によって、夜景モードの解除許可モードの設定が行なわれているか否かが判定され、解除許可モードが設定されていないと処理を終了し、解除許可モードが設定されていると、ステップＳ１６に進んで、ＣＰＵ２２によって夜景設定モードが解除された後にステップＳ１７に進む。
ステップＳ１７では、夜景モード設定の解除の通報が、ブザー２４の通報音で行なうように設定されているか否かが判定され、ブザー２４の通報音で夜景モード設定の解除が行なわれる場合には、ステップＳ１８に進んで、ブザー２４から、前述の警報音とは聴覚的に異なる音で夜景モード設定解除の通報音が発せられる。
【００４３】
一方、ステップＳ１７で、夜景モード設定の解除の通報が、ブザーの通報音では行なわれないように設定されていると、ステップＳ１９に進んで、液晶ディスプレイ１８に表示される通報メッセージにより、夜景モードの設定解除が行なわれたことがオペレータに通報される。この場合には、環境条件に応じて、撮像装置の音出力禁止モードを設定すると、シャッタ音、セルフタイマ音の出力をも禁止して、無音状態で被写体の撮像動作が行なわれる。
【００４４】
このようにして、不適確な夜景モードの設定が行なわれた場合には、不適確な夜景モードは自動的に解除され、オペレータは、ブザー２４から発せられる通報音、或いは液晶ディスプレイ１８に表示される通報メッセージによつて、不適確な夜景モードが設定が解除されたことを知ることができるので、オペレータは、不適確な夜景モードの解除を通報音或いは通報メッセージによって、迅速に知ることが可能になり、オペレータの操作上の負担なしに、夜景モードの誤設定を避けて、常に被写体の高品質の夜間撮像を行なうことが可能になる。
【００４５】
以上に説明したように、本実施の形態によると、不適確な夜景モードを警報する警報モードが設定されていると、オペレータが操作部２３から夜景撮像モードを設定して被写体の撮像を行なう場合に、ＣＰＵ２２によって、時計機能部２６から読み出される計時データに基づき、現時刻が夜間であるか否かが判別され、判別結果に基づいて不適確な夜景モードの設定が行なわれている場合には、操作部２３からの指令信号に基づいて、ブザー２４からの警報音の発生により、或いは、液晶ディスプレイ１８への警報メッセージの表示により、オペレータに不適確な夜景モードの設定が警告される。
このために、オペレータは、操作部２３を操作して不適確な夜景モードの設定を解除することにより、夜景モードの誤設定を避けて、常に被写体の高品質の夜間撮像を行なうことが可能になる。
【００４６】
また、不適確な夜景モードの設定の自動解除モードを設定する解除モードが設定されていると、オペレータが操作部２３から夜景撮像モードを設定して被写体の撮像を行なう場合に、設定された夜景モードが不適切であると判定されると、夜景モードの設定が自動的に解除され、操作部２３からの指令信号に基づいて、解除の通報が、ブザー２４からの警報音の発生により、或いは、液晶ディスプレイ１８への通報メッセージの表示により、オペレータに直ちに通報される。
このために、オペレータの操作上の負担なしに、夜景モードの誤設定を避けて、常に被写体の高品質の夜間撮像を行なうことが可能になる。
【００４７】
なお、以上の実施の形態では、ＪＰＥＧ規格によって、カラー静止画像のデータ圧縮を行なう場合を説明したが、本発明は、この実施の形態に限定されるものではなく、ＭＰＥＧ（Ｍｏｔｉｏｎ　Ｐｉｃｔｕｒｅ　Ｅｘｏｅｒｔｓ　Ｇｒｏｕｐｅ）規格によって、カラー動画像のデータの圧縮を行なわせることも可能である。
【００４８】
【発明の効果】
請求項１記載の発明は、時計手段と夜景モード設定手段とを備えており、夜景モード設定手段により夜景撮像モードが設定されて、被写体の撮像が行なわれる場合には、判定手段によって、時計手段から取込まれるデータに基づいて、現時間が夜間であるか否かが判定され、判定手段によって、現時間が夜間でないと判定されると、警報手段によって夜景モードの設定が不適確であることをオペレータに通報する警報が発せられるので、不適確な夜景モードの設定を知ったオペレータが、夜景モードの設定を解除して、被写体の撮像を改めて実行することにより、常に夜景モードの誤設定を避けて、被写体の高品質の夜間撮像を行なうことが可能になる。
【００４９】
請求項２記載の発明によると、請求項１記載の発明において、警報手段が警報音を発生することによって、夜景モードの設定が不適確であることをオペレータに通報することにより、請求項１記載の発明で得られる効果を実現することが可能になる。
【００５０】
請求項３記載の発明によると、請求項１記載の発明において、警報手段が警報メッセージを表示することによって、夜景モードの設定が不適確であることをオペレータに通報することにより、請求項１記載の発明で得られる効果を実現することが可能になる。
【００５１】
請求項４記載の発明は、時計手段と夜景モード設定手段とを備えており、夜景モード設定手段により夜景撮像モードが設定されて、被写体の撮像が行なわれる場合には、判定手段によって、時計手段から取込まれるデータに基づいて、現時間が夜間であるか否かが判定され、判定手段によって、現時間が夜間でないと判定されると、設定解除手段によって夜景モードの設定が自動的に解除されるので、不適確な夜景モードの設定が行なわれた場合に、オペレータには、夜景モードの設定を解除して、被写体の撮像を改めて実行することが不要で、オペレータの操作負担なしに、常に夜景モードの誤設定を避けて、被写体の高品質の夜間撮像を行なうことが可能になる。
【００５２】
請求項５記載の発明によると、　請求項４記載の発明に対して、設定解除手段　の動作を許容する許容設定手段がさらに設けられているので、許容設定手段により許容設定を行なうことにより、請求項４記載の発明で得られる効果を実現することが可能になる。
【００５３】
請求項６記載の発明によると、請求項４記載の発明に対して、設定解除手段による夜景撮像モードの設定の解除を通報する通報手段がさらに設けられているので、請求項４記載の発明で得られる効果に加えて、オペレータに夜景撮像モードの設定の解除を通報することが可能になる。
【００５４】
請求項７記載の発明によると、請求項６記載の発明において、通報手段が通報音を発生することによって、夜景モードの設定が不適確であることをオペレータに通報することにより、請求項６記載の発明で得られる効果を実現することが可能になる。
【００５５】
請求項８記載の発明によると、請求項６記載の発明において、警報手段が警報メッセージを表示することによって、夜景モードの設定が不適確であることをオペレータに通報することにより、請求項６記載の発明で得られる効果を実現することが可能になる。
【図面の簡単な説明】
【図１】本発明の一実施の形態の構成を示すブロック図である。
【図２】同実施の形態の外観構成を示す説明図である。
【図３】同実施の形態のディスプレイの時計設定画面の説明図である。
【図４】同実施の形態のディスプレイの機能設定画面の説明図である。
【図５】同実施の形態の警報モード設定時の夜景モード設定の適確性の判定動作を示すフローチャートである。
【図６】同実施の形態の解除モード設定時の夜景モード設定の適確性の判定動作を示すフローチャートである。
【符号の説明】
１　レンズ
２　シャツタ機構部
１０　撮像信号処理ユニット
１１　駆動制御回路
１２　信号処理ユニット
１８　液晶ディスプレイ
２０　メモリカード
２１　ＳＲＡＭ
２２　ＣＰＵ
２３　操作部
２４　ブザー
２５　ストロボ
２６　時計機能部
２７　画質設定部
２８　露出制御部
【図１】
2004053697.tif 000003
【図２】
2004053697.tif 000004
【図３】
2004053697.tif 000005
【図４】
2004053697.tif 000006
【図５】
2004053697.tif 000007
【図６】
2004053697.tif 000008